(57)【要約】      （修正有）【課題】ダイヤルの大型化を招くことなく、強いクリック力を発生させても耐久性を犠牲にすることなく、停止箇所の数多くできるダイヤルが実現でき、さらに感触のよいクリック感を得られる回転ダイヤルを備えた電子機器を提供する。【解決手段】ダイヤル部材３０１と、ダイヤル部材３０１の裏面に固定された金属プレート３０３と、金属プレート３０３の円周線上に形成された複数の開口穴３０３ｂと、開口穴３０３ｂと係合する球体の係合部材３０４と、係合部材３０４を金属プレート３０３に付勢する付勢部材と、を有するクリック機構を用いた回転ダイヤルを備えた電子機器において、金属プレート３０３の複数の開口穴３０３ｂはそれぞれ、球体の係合部材３０４と同軸上を通る円形形状を有すとともに円形形状の一部は隣り合う開口穴３０３ｂの円形形状と重なりあうことを特徴とする。【選択図】図６
2016103074.tif 000002
【特許請求の範囲】
【請求項１】
ベース部材（２０１）に形成された軸受け穴（２０１a）と、前記軸受け穴（２０１a）に回動自在に支持されたダイヤル部材（３０１）と、前記ダイヤル部材（３０１）の裏面に固定された金属プレート（３０３）と、前記金属プレート（３０３）の円周線上に形成された複数の開口穴（３０３b）と、前記開口穴（３０３b）と係合する球体の係合部材（３０４）と、前記係合部材（３０４）を前記金属プレート（３０３）に付勢する付勢部材（３０５）と、を有するクリック機構を用いた回転ダイヤルを備えた電子機器において、
前記金属プレート（３０３）の複数の前記開口穴（３０３b）はそれぞれ、前記球体の係合部材（３０４）と同軸上を通る円形形状を有すとともに円形形状の一部は隣り合う開口穴の円形形状と重なりあうことを特徴とする回転ダイヤルを備えた電子機器。
【請求項２】
ベース部材（７０２）に形成された軸受け穴（７０２b）と、前記軸受け穴（７０２b）に回動自在に支持されたダイヤル部材（７０１）と、前記ダイヤル部材（７０１）の裏面に固定された金属プレート（７０４）と、前記金属プレート（７０４）の円周線上に形成された凹溝係合部（７０４c）と、前記凹溝係合部（７０４c）と係合する球体の係合部材（７０５）と、前記係合部材（３０４）を前記金属プレート（７０４）に付勢する付勢部材（７０６）と、を有するクリック機構を用いた回転ダイヤルを備えた電子機器において、
前記金属プレート（７０４）の凹溝係合部（７０４c  ）は、前記球体の係合部材（３０４）と同軸上を通る円形形状を有す複数の窪みであり、前記円形形状の一部は隣り合う窪みの円形形状と重なりあうことを特徴とする回転ダイヤルを備えた電子機器。
【請求項３】
隣り合った円形形状の当接部はそれぞれ円弧状に角が落とされ、前記円弧形状の半径は軸中心側（Ｒ-２）が小さく、対向する外側の半径（Ｒ-１）は大きい半径で形成されていることを特徴とする請求項１又は請求項２に記載の回転ダイヤルを備えた電子機器。
【請求項４】
円弧形状の頂点と、球体の係合部材（７０５）の中心からの距離（α、β）は、それぞれ同一であることを特徴とする請求項１乃至請求項３の何れか一項に記載の回転ダイヤルを備えた電子機器。
【発明の詳細な説明】
【技術分野】
【０００１】
本発明は、各種電子機器に備えられる回転式ダイヤル操作部材の構造に関する。
【背景技術】
【０００２】
電子機器であるデジタルカメラの分野に於いて、ダイヤル部材の回転操作時にユーザにクリック感を付与するクリック機構を備えるものがある。このクリック機構は、ダイヤル部材の裏面に円周方向に複数の凹溝が形成され、凹溝にコイルバネによって付勢されたボールが係合する。そして、ダイヤル部材の回転操作に応じてボールが複数の凹溝間を乗り越えて所定の凹溝に係合することでクリック感が得られる。
【０００３】
しかし、上記クリック機構では、回転トルクを上げて良好なクリック感を得るためには、コイルバネを強くしてボールに対する付勢力を大きくする必要があり、ダイヤル部材に変形や摩耗が発生するなど耐久性に問題があった。
【０００４】
一方で、ダイヤル操作部の裏面に金属板状のプレートを配し、ダイヤル操作部の回転軸の周方向に沿って、複数の穴を形成したことを特徴とした技術が提案されている（特許文献１）。この提案では、ダイヤル操作部の回転軸周りに複数形成された穴に係合する球体を、ダイヤル回転軸中心に向かって係合する方向に付勢するコイルばねを有している。これにより、コイルバネを強くしてクリック感を強くすることが可能となっている。
【先行技術文献】
【特許文献】
【０００５】
【特許文献１】特開２００３−２８７７９６号公報
【発明の概要】
【発明が解決しようとする課題】
【０００６】
しかし、上記の特許文献１で示されている金属板状プレートの回転軸周方向に複数の穴を開口するクリック機構では、プレス成形上の制約により穴と穴の間隔はプレートの板厚の1倍から2倍程度の距離を確保する必要がある。したがって小型のダイヤルの場合、設定できるクリック発生数に制約があり、カメラの露出を調整するダイヤルなど停止箇所が細かく刻まれた場合には不適であった。また停止箇所を増やすために穴を小さくするとクリック力も小さくなってしまう問題もある。
【０００７】
そこで、本発明は、ダイヤルの大型化を招くことなく、強いクリック力を発生させても耐久性を犠牲にすることなく、停止箇所の数多くできるダイヤルが実現でき、さらに感触のよいクリック感を得られる回転ダイヤルを備えた電子機器を提供することを目的とする。
【課題を解決するための手段】
【０００８】
上記の目的を達成するために、本発明は、
ベース部材（２０１）に形成された軸受け穴（２０１a）と、前記軸受け穴（２０１a）に回動自在に支持されたダイヤル部材（３０１）と、前記ダイヤル部材（３０１）の裏面に固定された金属プレート（３０３）と、前記金属プレート（３０３）の円周線上に形成された複数の開口穴（３０３b）と、前記開口穴（３０３b）と係合する球体の係合部材（３０４）と、前記係合部材（３０４）を前記金属プレート（３０３）に付勢する付勢部材（３０５）と、を有するクリック機構を用いた回転ダイヤルを備えた電子機器において、
前記金属プレート（３０３）の複数の前記開口穴（３０３b）はそれぞれ、前記球体の係合部材（３０４）と同軸上を通る円形形状を有すとともに円形形状の一部は隣り合う開口穴の円形形状と重なりあうことを特徴とする。
【発明の効果】
【０００９】
本発明の電子機器によれば、電子機器の大型化を招くことなく、ダイヤルの小型化、多ポジション化が実現でき、さらに強いダイヤルの回転トルクを確保できるので、感触のよいクリック感と、操作感を得られる。
【図面の簡単な説明】
【００１０】
【図１】（ａ）本発明の実施形態に係るデジタルカメラの正面斜視図、（ｂ）本発明の実施形態に係るデジタルカメラの背面斜視図
【図２】本発明を適用した実施形態に係るベース部材を示す上面図
【図３】本発明を適用した実施形態に係るダイヤル部の保持構成を示す側面視Ａ-Ａ断面図
【図４】本発明を適用した実施形態に係るベース部材の正面視分解斜視図
【図５】本発明を適用した実施形態に係るベース部材の背面視分解斜視図
【図６】本発明を適用した第一の実施形態に係るダイヤル部材とクリック手段の位置関係を示す裏面視図
【図７】本発明を適用した実施形態に係るダイヤル部の保持構成を示す側面視Ａ-Ａ断面図
【図８】本発明を適用した実施形態に係るダイヤル部材とクリック手段の位置関係を示す裏面視図
【図９】（ａ）本発明を応用した実施形態に係るベース部材の正面視分解斜視図、（ｂ）本発明を応用した実施形態に係るベース部材の背面視分解斜視図
【図１０】本発明を応用した第２の実施形態に係るダイヤル部材とクリック手段の位置関係を示す裏面視図
【発明を実施するための形態】
【００１１】
以下、本発明の実施形態の一例を図面を参照して説明する。
【００１２】
＜第１の実施形態＞
図１（ａ）は本発明の実施形態に係るデジタルカメラの正面斜視図、図１（ｂ）は本発明の実施形態に係るデジタルカメラの背面斜視図である。図１（ａ）に示すように、１０１は電子機器装置（本発明ではカメラを示す）の外装であるカメラ本体、１０２は撮影光学系を構成しているレンズ鏡筒である。１０３は電源ボタン、１０４はレリーズボタン、１０５はカメラの撮影モードなどを変更する為のモードダイヤルである。１０６はストロボであり、１０７はストロボレバーである。ストロボ１０６はストロボレバー１０７をスライドすることでポップアップし、使用後は手動で押し下げることで図１（ａ）の収納状態となる。
【００１３】
１０８は露出補正を行うためのダイヤルで、時計・反時計回りに回動することで画像の明るさを調整できる。１０９は撮影画像の確認・再生、撮影条件などの各種情報を表示する液晶表示パネルである。１１０は操作部であり、時計・反時計回りに回動可能で且つ上下左右４箇所と中央部１箇所に対し押し込み操作が可能な操作ダイヤルと再生モードやメニューなどの各種操作ボタンから構成されている。露出補正ダイヤル１０８は、本発明の回転操作が可能なダイヤル部材の一例に相当する。
【００１４】
図２は本発明を適用した実施形態に係るベース部材を示す上面図であり、図３は図２に示す断面指示図Ａ−Ａに相当する本発明を適用した第一の実施形態に係るダイヤル部の保持構成を示す側面視断面図である。図４は、本発明を適用した実施形態に係るベース部材の正面視分解斜視図、図５は、本発明を適用した実施形態に係るベース部材の背面視分解斜視図を示す。図２に示すように、２０１は、カメラ本体１０１の上面部の外装部材の一部を形成するベース部材である。ベース部材２０１上に形成された露出補正ダイヤル１０８には１／３段刻みで＋３段から−３段まで明るさを調整可能であり、合計２１箇所の停止位置を備える。
【００１５】
近年のデジタルカメラでは利便性を考慮し、撮影時の条件変更を直感的に操作できるダイヤル部材を設けることが多く、従来からある撮影モード切り替えダイヤルと異なり、小型でありながら停止ポジションの多いクリック機構が求められている。
【００１６】
図３から図５に示すように、ダイヤルベース３０１はベース部材２０１上に形成される軸穴２０１aとダイヤルベース３０１上に形成される軸３０１ａとが回転摺動可能な嵌合で軸支される。露出補正値が印刷されたプレート部材３０２はボス３０２aを、ダイヤルベース３０１上に形成された窪み３０１bの中心に備えたガイド穴３０１cに装着し、接着固定される。
【００１７】
またステンレスの板材で成形されたクリック部材３０３の中心穴３０３aをダイヤルベース３０１の軸３０１ａに挿通させ、さらにダイヤルベース３０１上に形成されているリブ３０１dとクリック部材３０３に形成されている貫通穴３０３cがそれぞれ嵌合し位置決めされる。ベース部材２０１には筒状の穴２０１bが形成され、筒の中に鋼球３０４と付勢バネ３０５を挿通させることで両部品を軸支する。鋼球３０４はダイヤルベース３０１のクリック力を発生させるための係止部材であり、クリック部材３０３に備えられた開口穴３０３bの開口端部と鋼球３０４が当接する。付勢バネ３０５は一方端を鋼球３０４に当接させ、他端部はベース部材２０１に当接している。
【００１８】
ベース部材２０１の筒状の穴２０１bで付勢バネ３０５でチャージされた鋼球３０４を軸支することにより鋼球３０４はベース２０１の穴２０１bに沿って移動自在に付勢される。また、ダイヤルベース３０１の軸３０１ａ中央にはビス固定のためのタッピング穴３０１dを備え、樹脂で形成された円板状の保持部材３０６の中心穴３０６aを挿通してビス３０７により固定される。
【００１９】
保持部材３０６にはフレキシブルプリント基板３０９上に形成された不図示の導通パターンと接触し、電気的導通するためのブラシ切片３０８aを複数備えた接片部材３０８が装着される。接片部材３０８は保持部材３０６上に形成されているボス３０６a（図５）と接片部材３０８上に形成されている貫通穴３０８bが不図示のカシメ溶着等の手段で固定されている。
【００２０】
ベース部材２０１と保持部材３０６の間には、それぞれ適度なクリアランスを保っており、これによりベース部材２０１を挟んでダイヤルベース３０１と保持部材３０６と接片部材３０８が一体化され、回転動作が出来る。また、フレキシブル基板３０９はシャーシ部材３１０に保持され、シャーシ部材３１０はベース部材２０１とビス固定される。また、ダイヤルベース３０１とベース部材２０１の間にはリング部材３１１が装着される。リング部材３１１はクリック部材３０３の浮き上がりを防止するため、クリック部材３０３の外周側において投影上重なる位置に配置され、穴３１１a（図４）を通してダイヤルベース３０１に対しボンド固定されている。
【００２１】
図６は本発明を適用した第一の実施形態に係るダイヤル部材とクリック手段の位置関係を示す裏面視図である。図６（ａ）はダイヤルが停止位置にある時の状態を示し、図６（ｂ）はダイヤルが回転し、鋼球が移動することでクリック力が発生している時の状態を示す。図６に示すように複数の円弧形状が連結した形状を備えている。各円弧の並ぶ間隔は図２に示す露出補正ダイヤル１０８の目盛間隔と一致する。本実施例では図６（ａ）の位置が同ダイヤルに記載された「0」の位置に相当する。露出補正ダイヤル１０８が回転すると図６（ｂ）のように鋼球３０４は円弧と円弧の中間位置を通る。
【００２２】
鋼球３０４はベース部材２０１の筒状の穴２０１bに移動自在に軸支されているため、円弧と接した状態を保持しながら上下に摺動する。この時、鋼球３０４が円弧と同軸上に並ぶ各停止位置においては図３に示すように鋼球３０４はベース２０２から最も離れた位置にある。一方、図６（ｂ）においては鋼球３０４は円弧と円弧の中間位置にあり、開口穴３０３bは最も狭くなる。
【００２３】
図７は露出補正ダイヤル１０８が図６（ｂ）の位置にある時の、図２に示す断面指示図Ａ−Ａに相当するダイヤル部の保持構成を示す側面視断面図である。露出補正ダイヤル１０８が回転する時は、鋼球３０４が対向する付勢バネ３０５のバネ付勢力に逆らって開口穴３０３bの外形稜線部に当接しながら退避し、開口穴３０３bが狭くなる図６（ｂ）の位置を通る。この状態の時に露出補正ダイヤル１０８の最大応力が発生し、クリック力を得ることができる。
【００２４】
先行技術文献に記載された従来例ではクリック力を発生させる開口穴はそれぞれ独立して開口されているが、本発明を適用した実施形態に係る、停止位置の多いダイヤルクリック機構では隣接する２つの開口穴の間を形成するだけの十分な間隔を確保できない。そこで本発明の実施例に於いては、開口穴を鋼球３０４と同軸上の円弧形状にすることで隣接する開口穴が一部重なりあった状態でもクリック力を得ることが可能となっている。
【００２５】
これにより本発明の実施例に於いては、ダイヤルの大型化を招くことなく、停止箇所を多くできるダイヤル機構を提供することが可能である。また、本発明の実施例に於いては、鋼球３０４と当接するのは金属の板材であるクリック部材３０３のみとなるため、強いバネ付勢力を加えた状態で長期間使用しても変形することなく、耐久性の優れたダイヤル機構を提供することが可能である。
【００２６】
一方、図８は本発明を適用した実施形態に係るクリック部材を示す拡大図である。円弧形状が連続した開口穴３０３bにおいて、円弧と円弧が当接する部分には、プレス加工の金型強度を確保するため、それぞれＲ-１、Ｒ-２の角Ｒを備えている。さらにダイヤルの回動中心に対し内周側と外周側で異なるＲの半径を有し、その半径は内周側より外周側が大きなＲとなるよう設定され、開口穴３０３bの円弧中心に対し角Ｒ（Ｒ-１，Ｒ-２）の頂点との距離（α、β）が略同一となるように設定されている。
【００２７】
もし、距離（α、β）が異なる場合、ベース部材２０１の筒状の穴２０１ｂにより軸支された鋼球３０４が、距離（α、β）の内、近い方の開口穴３０３ｂ外形稜線部のみと当接し、図７における矢印Ｘの方向に対し付勢力が働く。その結果、ダイヤルが回転揺動してしまいダイヤル操作時に、ふらつきが発生することになり品位が欠けるという問題があるため、本発明を適用した実施形態に係るクリック機構においては、距離（α、β）を略同一にすることで回転時のふらつきを防いでいる。また、同様に距離（α、β）が異なる場合、鋼球３０４を軸支するベース部材２０１の筒状の穴２０１ｂの周囲を囲う壁に対してもクリック力発生時に矢印Ｘ方向の応力が発生する。
【００２８】
図７に示すように、ダイヤルが小型化されたことにより壁の肉厚γは十分な厚さを確保できない。そのため鋼球３０４に矢印Ｘの方向に付勢力が働き、使用中に肉厚γの薄肉部位にクラックが発生する可能性がある。そこで耐久性を確保するため、本発明を適用した実施形態に係るクリック機構においては、距離（α、β）を略同一にすることでダイヤル回転時、矢印Ｘの方向の応力発生を防いでいる。これにより本発明の実施例に於いては、開口穴を鋼球３０４と同軸上の円弧形状にすることで隣接する開口穴が一部重なりあった構成を持つクリック機構においてもダイヤル操作時のふらつきを抑え、また耐久性の高めることが可能である。
【００２９】
本発明の実施例に於いては、クリック部材３０３は金属板バネで構成させているが、強度、回転トルクが確保出来る場合には、合成樹脂等を用いて構成させても本発明と同様の効果が得られる。また本発明の実施例に於いては、鋼球３０４を金属で構成させているが、強度が確保出来る場合には、合成樹脂等の成形ボールを用いてもよい。また本発明の実施例に於いては、クリック部材３０６をリング部材３１１で保持しているが、クリック部材３０６の変形や反りを抑えることが出来る場合には、リング部材３１１無しでも本発明と同様の効果が得られる。また本発明の実施の形態では、本発明の構成をデジタルカメラに適用した場合を例に挙げたが、これに限定されるものではない。
【００３０】
本発明の構成は、デジタルカメラ以外にも、一眼レフカメラ、ビデオカメラ等の各種形態の撮像装置、撮像装置以外の光学機器、電子機器にも適用することができる。更に、撮像装置や光学機器や電子機器を構成する要素にも適用することができる。
【００３１】
＜第２の実施形態＞
次に本発明の実施例の応用例として、クリック部材３０６上に形成される開口穴３０３bを半抜きの凹溝係合部に変更し、ダイヤル操作時のクリック発生範囲を全周に拡大させた場合の構成を説明する。詳細な機構構成は、本発明の実施例と同様であるため割愛とする。
【００３２】
図９は、本発明を適用し応用した第２の実施形態に係るベース部材の分解斜視図であり、図９（ａ）は正面視分解斜視図、図９(b)背面視分解斜視図を示す。ダイヤルベース７０１はベース部材７０２上に形成される軸穴７０２ｃとダイヤルベース７０１上に形成される軸７０１ａとが回転摺動可能な嵌合で軸支される。プレート部材７０３はボス７０３ａを、ダイヤルベース７０１上に形成されたガイド穴７０１ｂに装着し、接着固定される。
【００３３】
またステンレスの板材で成形されたクリック部材７０４の中心穴７０４ａをダイヤルベース７０１の軸７０１ａに挿通させ、さらにダイヤルベース７０１上に形成されているリブ７０１ｃ（図１０）とクリック部材７０４に形成されている窪み７０４ｂがそれぞれ嵌合し位置決めされる。ベース部材７０２には筒状の穴７０２ｂが回動軸に対し対称に２箇所形成され、それぞれ筒の中に鋼球７０５と付勢バネ７０６を挿通させることで両部品を軸支する。
【００３４】
鋼球７０５はダイヤルベース７０１のクリック力を発生させるための係止部材であり、クリック部材７０４に備えられた半抜き係合溝７０４cの外周端部と鋼球７０５が当接する。付勢バネ７０６は一方端を鋼球７０５に当接させ、他端部はベース部材７０２に当接させている。ベース部材７０２の筒状の穴７０２ｂにおいて、付勢バネ７０６で鋼球７０５をチャージさせ、両部品を筒状の穴７０２ｂで軸支することにより鋼球７０５はベース部材７０２の穴７０２ｂに沿って移動自在に付勢される。また、ダイヤルベース７０１の軸７０１ａ中央にはビス固定のためのタッピング穴７０１ｃを備え、樹脂で形成された円板状の保持部材７０７の中心穴７０７ａを挿通してビス７０８により固定される。
【００３５】
保持部材７０７にはフレキシブルプリント基板７０９上に形成された不図示の導通パターンと接触し、電気的導通するためのブラシ切片７１０ａを複数備えた接片部材７１０が装着される。ベース部材７０２と保持部材７０７の間には、それぞれ適度なクリアランスを保って回転摺動可能な構成となっている。これによりベース部材７０２を挟んでダイヤルベース７０１と保持部材７０７と接片部材７１０が一体化され、回転動作が出来る。また、フレキシブルプリント基板７０９はシャーシ部材７１１に保持され、シャーシ部材７１１はベース部材７０２とビス固定される。また、ダイヤルベース７０１とベース部材７０２の間にはリング部材７１２が装着される。
【００３６】
リング部材７１２はクリック部材７０４の浮き上がりを防止するため、クリック部材７０４の外周側において投影上重なる位置に配置され、穴７１２ａを通してダイヤルベース７０１に対しボンド固定される。
【００３７】
図１０は、本発明を応用した第２の実施形態に係るダイヤル部材とクリック手段の位置関係を示す裏面視図である。図１０（ａ）はダイヤルが停止位置にある時状態を示し、図１０（ｂ）はダイヤルが回転し、鋼球が移動することでクリック力が発生している時の状態を示す。クリック部材７０４に備えられた半抜き係合溝７０４ｃは、図１０に示すように複数の円弧形状の窪みが連結した形状を備えている。
【００３８】
本発明を応用した第２の実施形態に係るクリック機構ではクリック力を発生させるための円弧形状を全周に配置し、ダイヤルの一部だけを使用するのではなくエンドレスで回転可能なダイヤルを構成している。また、係止部材であるところの鋼球７０５を複数個使用することで強いクリック力を得られる構成としている。第１の実施例で示した開口穴で形成された係合穴の場合、プレス成形時にスプリングバックによる変形が発生する可能性があり、強度確保のため回動角を限定してクリック係合穴を開口しない部分を設ける必要があった。
【００３９】
そこで本発明を応用した第２の実施形態に係るクリック機構では開口穴ではなく、半抜きによる係合溝に変えることでクリック部材７０４の強度を確保している。ダイヤルベース７０１が回転すると２つの鋼球７０５は、それぞれ図１０（ｂ）のように円弧と円弧の中間位置を通る。鋼球７０５はベース部材７０２の筒状の穴７０２ｂに対し移動自在に軸支されているため、円弧と接した状態を保持しながら上下に摺動し、クリック力が発生する。
【００４０】
第一の実施例図８において、ダイヤルの回動中心に対し内周側と外周側で異なるＲの半径を有し、その半径は内周側より外周側が大きなＲとなるよう設定すること、および円弧中心からＲの頂点までの距離（図８α、β）を略同一にすることは本実施例でも同様のため説明を割愛する。この応用例では、前述実施例に対してダイヤルに指標や可動範囲が設けられていないが、シャッタースピードや絞り調整など、設定可能パラメーターの種類が多い時に液晶画面１０９を見ながらダイヤルを直感的に回転操作することが出来る。
【００４１】
この構成によれば、撮影時の条件変更を直感的に操作できるダイヤル部材を設けることができ、また小型でありながら停止ポジションの多いクリック機構を提供することが可能である。また、複数の係合部材（鋼球）を設定することで、良好なクリック感が得られる。
【００４２】
本発明の実施例に於いては、２つの係合部材（鋼球７０５）で構成させているが、さらに係合部材を増やして構成させても本発明と同様の効果が得られる。また本発明の実施例に於いては、付勢バネ７０６にコイルバネを使用しているが、板バネなど他の付勢部材で構成させても本発明と同様の効果が得られる。
【００４３】
また、本発明は、１眼レフカメラ、レンズシャッタカメラ、ビデオカメラ、デジタルカメラ等種々の形態のカメラ、更にはカメラ以外の光学機器やその他の装置、更にはそれらカメラや光学機器やその他の装置に適用される装置又は、これらを構成する要素に対しても適用できるものである。
【符号の説明】
【００４４】
２０１  ベース部材、３０１  ダイヤル部材、３０３  金属プレート、
３０４  係合部材、３０５  付勢部材
【図１】
2016103074.tif 000003
【図２】
2016103074.tif 000004
【図３】
2016103074.tif 000005
【図４】
2016103074.tif 000006
【図５】
2016103074.tif 000007
【図６】
2016103074.tif 000008
【図７】
2016103074.tif 000009
【図８】
2016103074.tif 000010
【図９】
2016103074.tif 000011
【図１０】
2016103074.tif 000012